(57)【要約】【課題】非直交多重された下りデータに対する上り制御情報の無線リソースの競合を回避すること。【解決手段】基地局装置１０は、複数の端末に対するそれぞれの下り制御情報を同一の下り制御チャネル領域を用いて送信する制御情報送信部１２２と、前記複数の端末に対するそれぞれの下りデータを非直交多重して送信するデータ送信部１２４と、前記データ送信部によって送信された下りデータに対する上り制御情報が送信されるべき上り制御チャネル領域を決定するための情報を前記下り制御情報に含める制御部１４とを備える。【選択図】図５
2016189506.tif 000002
【特許請求の範囲】
【請求項１】
複数の端末に対するそれぞれの下り制御情報を同一の下り制御チャネル領域を用いて送信する制御情報送信部と、
前記複数の端末に対するそれぞれの下りデータを非直交多重して送信するデータ送信部と、
前記データ送信部によって送信された下りデータに対する上り制御情報が送信されるべき上り制御チャネル領域を決定するための情報を前記下り制御情報に含める制御部と、
を備える基地局装置。
【請求項２】
前記上り制御チャネル領域は、少なくとも、前記下り制御情報が割り当てられた下り制御チャネル領域に関する情報と、前記制御部によって下り制御情報に含められたいずれかの情報と、に基づいて決定される
ことを特徴とする請求項１に記載の基地局装置。
【請求項３】
前記制御情報送信部は、前記下り制御情報をブロードキャストまたはユニキャストで送信する
ことを特徴とする請求項１または２に記載の基地局装置。
【請求項４】
前記制御部は、非直交多元接続された各ユーザ宛の下りデータにおける復調の順番に関する情報を下り制御情報に含める
ことを特徴とする請求項１から３のいずれかに記載の基地局装置。
【請求項５】
同一の下り制御チャネル領域を用いて送信された下り制御情報を受信する制御情報受信部と、
非直交多重された下りデータを受信するデータ受信部と、
前記データ受信部によって受信された下りデータに対する上り制御情報が送信されるべき上り制御チャネル領域を決定するための情報を前記下り制御情報から取得する制御部と、
前記制御部によって取得された情報と、前記制御情報受信部によって受信した下り制御情報が割り当てられた下り制御チャネル領域に関する情報と、を少なくとも用いて前記上り制御チャネル領域を決定する上りリソース決定部と、
を備える端末装置。
【請求項６】
前記制御部によって取得される情報には、非直交多元接続における復調の順番に関する情報が含められており、
前記リソース決定部は、当該情報に含められた順番が所定の番号以下である場合は、当該情報を用いずに、上り制御チャネル領域を決定する
ことを特徴とする請求項５に記載の端末装置。
【請求項７】
複数の端末との間で無線通信可能な基地局に用いられる通信方法であって、
複数の端末に対するそれぞれの下り制御情報を同一の下り制御チャネル領域を用いて送信する制御情報送信ステップと、
前記複数の端末に対するそれぞれの下りデータを非直交多重して送信するデータ送信ステップと、
送信された下りデータに対する上り制御情報が送信されるべき上り制御チャネル領域を決定するための情報を前記下り制御情報に含める制御ステップと、
を有する通信方法。
【請求項８】
基地局と、前記基地局との間で無線通信を行う複数の端末とを備える通信システムであって、
前記基地局は、
複数の端末に対するそれぞれの下り制御情報を同一の下り制御チャネル領域を用いて送信する制御情報送信部と、
前記複数の端末に対するそれぞれの下りデータを非直交多重して送信するデータ送信部と、
前記データ送信部によって送信された下りデータに対する上り制御情報が送信されるべき上り制御チャネル領域を決定するための情報を前記下り制御情報に含める制御部と、
を備え、
前記端末は、
同一の下り制御チャネル領域を用いて送信された下り制御情報を受信する制御情報受信部と、
非直交多重された下りデータを受信するデータ受信部と、
前記データ受信部によって受信された下りデータに対する上り制御情報が送信されるべき上り制御チャネル領域を決定するための情報を前記下り制御情報から取得する制御部と、
前記制御部によって取得された情報と、前記制御情報受信部によって受信した下り制御情報が割り当てられた下り制御チャネル領域に関する情報と、を少なくとも用いて前記上り制御チャネル領域を決定する上りリソース決定部と、
を備える通信システム。
【発明の詳細な説明】
【技術分野】
【０００１】
本発明は、無線通信システムの制御技術に関する。
【背景技術】
【０００２】
２０１５年現在のＬＴＥ（Ｌｏｎｇ  ｔｅｒｍ  ｅｖｏｌｕｔｉｏｎ）システムでは、下りリンクデータに対して端末から送信されるＨＡＲＱ（Ｈｙｂｒｉｄ  Ａｕｔｏｍａｔｉｃ  Ｒｅｐｅａｔ  Ｒｅｑｕｅｓｔ）−ＡＣＫは、ＰＵＣＣＨ（Ｐｈｙｓｉｃａｌ  ｕｐｌｉｎｋ  ｃｏｎｔｒｏｌ  ｃｈａｎｎｅｌ）領域でフィードバックされるように割り当てられる。このＨＡＲＱ−ＡＣＫに用いられるＰＵＣＣＨ上のリソースは、下りリンクデータのスケジューリング情報を伝送するＰＤＣＣＨ（Ｐｈｙｓｉｃａｌ  ｄｏｗｎｌｉｎｋ  ｃｏｎｔｒｏｌ  ｃｈａｎｎｅｌ）のＣＣＥ（Ｃｏｎｔｒｏｌ  Ｃｈａｎｎｅｌ  Ｅｌｅｍｅｎｔ）インデックスから一意に決定される（たとえば、非特許文献１参照）。
【０００３】
一方、非特許文献２に示されるように、３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥの多元接続方式として、同一のＲＢ上に複数のユーザの信号を多重して、同時に送信する非直交多元接続方式（ＮＯＭＡ：Ｎｏｎ−Ｏｒｔｈｏｇｏｎａｌ  Ｍｕｌｔｉｐｌｅ  Ａｃｃｅｓｓ）が現在の方式の拡張として提案されている。
【先行技術文献】
【非特許文献】
【０００４】
【非特許文献１】３ＧＰＰ  ＴＳ３６．２１３  Ｖｅｒ．１２．３．０，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  (Ｅ−ＵＴＲＡ)；Ｐｈｙｓｉｃａｌ  ｌａｙｅｒ  ｐｒｏｃｅｄｕｒｅｓ”，２０１４−０４
【非特許文献２】ＲＰ−１４１８９５，“Ｍｏｔｉｖａｔｉｏｎ  ｆｏｒ  Ｅｎｈａｎｃｅｄ  Ｍｕｌｔｉｕｓｅｒ  Ｔｒａｎｓｍｉｓｓｉｏｎｓ  ａｎｄ  Ｎｅｔｗｏｒｋ Ａｓｓｉｓｔｅｄ  Ｉｎｔｅｒｆｅｒｅｎｃｅ  Ｃａｎｃｅｌｌａｔｉｏｎ  ｆｏｒ  ＬＴＥ”，３ＧＰＰ  ＴＳＧ  ＲＡＮ  Ｍｅｅｔｉｎｇ  ♯６６，Ｍａｕｉ，ＵＳＡ，８−１１  Ｄｅｃｅｍｂｅｒ  ２０１４
【発明の概要】
【発明が解決しようとする課題】
【０００５】
非直交多元接続で複数のユーザ宛のパケットを同一リソースブロック上にスケジューリングする際、非直交多重される複数のユーザへのスケジューリング情報を、端末個別のＰＤＣＣＨで伝送するか、１つスケジューリング情報に集約してＰＤＣＣＨで伝送するかの２通りの手法が考えられる。
【０００６】
前者の場合、端末個別のＰＤＣＣＨが割り当てられるため、ＨＡＲＱ−ＡＣＫをフィードバックするＰＵＣＣＨ上のリソースは、スケジューリング情報を伝送するＰＤＣＣＨのＣＣＥインデックスに紐づくように決定すれば、ＨＡＲＱ−ＡＣＫ用リソースの重複は発生しない。一方、後者の場合は、複数の端末に１つＰＤＣＣＨが割り当てられるため、従来のようにスケジューリング情報を乗せたＰＤＣＣＨのＣＣＥインデックスに紐づくようにＰＵＣＣＨ上のリソースを決定すると、ＨＡＲＱ−ＡＣＫ用リソースの重複が発生してしまう。
【０００７】
本発明はかかる課題に鑑みてなされたものであり、その目的は、非直交多重された下りデータに対する上り制御情報の無線リソースの競合を回避できる基地局装置、端末装置、通信方法および通信システムを提供することにある。
【課題を解決するための手段】
【０００８】
本発明のある態様は、基地局装置に関する。この基地局装置は、複数の端末に対するそれぞれの下り制御情報を同一の下り制御チャネル領域を用いて送信する制御情報送信部と、前記複数の端末に対するそれぞれの下りデータを非直交多重して送信するデータ送信部と、前記データ送信部によって送信された下りデータに対する上り制御情報が送信されるべき上り制御チャネル領域を決定するための情報を前記下り制御情報に含める制御部とを備える。
【０００９】
このような態様によると、例えば、非直交多元接続を適用する際に、複数のユーザへのスケジューリング情報を１つに集約してＰＤＣＣＨに載せる場合でも、下りデータ送信に対するＨＡＲＱ−ＡＣＫフィードバックを無線リソースの競合無しに行うことが可能になる。
【００１０】
また、本発明の別の態様は、端末装置に関する。この端末装置は、同一の下り制御チャネル領域を用いて送信された下り制御情報を受信する制御情報受信部と、非直交多重された下りデータを受信するデータ受信部と、前記データ受信部によって受信された下りデータに対する上り制御情報が送信されるべき上り制御チャネル領域を決定するための情報を前記下り制御情報から取得する制御部と、前記制御部によって取得された情報と、前記制御情報受信部によって受信した下り制御情報が割り当てられた下り制御チャネル領域に関する情報と、を少なくとも用いて前記上り制御チャネル領域を決定する上りリソース決定部とを備える。
【００１１】
このような態様によると、端末側では、非直交多重された下りデータを受信した場合は、下り制御情報が割り当てられた下り制御チャネル領域に関する情報（例えば、ＰＤＣＣＨのＣＣＥインデックス）と、下りデータに対する上り制御情報が送信されるべき上り制御チャネル領域を決定するための情報（例えば、非直交多重された下りデータの復号の順番）とをもとに、上り制御情報を送信するリソースを決定することができる。したがって、例えば、複数のユーザのスケジューリング情報を１つに集約してＰＤＣＣＨに載せる場合でも、下りデータ送信に対するＨＡＲＱ−ＡＣＫフィードバックを無線リソースの競合無しに行うことが可能になる。
【００１２】
なお、以上の構成要素の任意の組み合わせ、本発明の表現を方法、装置、システム、コンピュータプログラムなどの間で変換したものもまた、本発明の態様として有効である。
【発明の効果】
【００１３】
本発明によれば、非直交多重された下りデータに対する上り制御情報の無線リソースの競合を回避できる基地局装置、端末装置、通信方法および通信システムを提供できる。
【図面の簡単な説明】
【００１４】
【図１】本発明が適用される無線通信システムの構成例を示す図である。
【図２】非直交多元接続非適用時のＨＡＲＱ−ＡＣＫリソースの決定方法の一例を示す図である。
【図３】非直交多元接続適用時のＨＡＲＱ−ＡＣＫリソースを決定する例を示す図である。
【図４】非直交多元接続適用時の課題を説明するための図である。
【図５】本発明にかかる基地局装置の構成例を示す図である。
【図６】本発明にかかる端末装置の構成例を示す図である。
【図７】実施例１にかかるＨＡＲＱ−ＡＣＫリソースの決定方法を示す図である。
【図８】実施例２にかかるＨＡＲＱ−ＡＣＫリソースの決定方法を示す図である。
【発明を実施するための形態】
【００１５】
（本発明の概要）
本発明の実施例を説明する前に、まず、本発明の概要を述べる。本発明は、非直交多元接続方式（ＮＯＭＡ）を適用した場合の下りデータに対する上り制御情報が送信されるべき上り制御チャネル領域を決定する手法に関する。
【００１６】
まず、ＮＯＭＡの基本原理について説明する。図１は、本発明が適用される無線通信システムの構成例を示す図である。図１に示すように、基地局１０（「ＢＳ」とも表記する）に対して２つの端末２０（「ＵＥ」とも表記する）が非直交多元接続される場合、基地局１０は、端末＃１および端末＃２の信号を同一の無線リソース上に多重して送信する。非直交多重された複数の端末の信号のそれぞれに対して、総送信電力が規定され、伝搬損失が大きい遠方の端末の信号に対してより大きい電力が配分される。この電力配分の差を利用することで、端末＃１は、端末＃２の信号をシリアル干渉キャンセラ（ＳＩＣ：Ｓｕｃｃｅｓｓｉｖｅ  Ｉｎｔｅｒｆｅｒｅｎｃｅ  Ｃａｎｃｅｌｌｅｒ）によりキャンセルした後に自分宛ての信号を復号し、端末＃２は、ＳＩＣ処理を行うことなく自分宛ての信号を復号することができる。すなわち、ＵＥ＃２においては、ＢＳ１０からの距離はＵＥ＃１よりも長い遠め、その到達信号の電力は距離による電力減衰によって、ＵＥ＃１に配分された干渉とみなせる電力自体も減衰しているため、ＵＥ＃２に配分された電力部分が支配的となり、もって、ＳＩＣ処理が不要となる。
【００１７】
また、現在のＬＴＥでは、図２に示すように、下りデータに対する上りＨＡＲＱ−ＡＣＫをフィードバックするためのＰＵＣＣＨ上のリソースは、下りデータのスケジューリング情報を載せたＰＤＣＣＨのＣＣＥインデックスから一意に決定される。図２では、端末＃１は、最小ＣＣＥインデックス“２”から導かれるＰＵＣＣＨリソース“４”で上りＨＡＲＱ−ＡＣＫを送信し、端末＃２は、最小ＣＣＥインデックス“４”から導かれるＰＵＣＣＨリソース“６”で上りＨＡＲＱ−ＡＣＫを送信することができる。
【００１８】
ここで、図１のように非直交多元接続で複数のユーザ宛のパケットを同一リソースブロック上にスケジューリングする際、送信データが互いに非直交多重される複数のユーザへのそれぞれの下り制御情報を、端末個別のＰＤＣＣＨで伝送するか、１つ下り制御情報に集約してＰＤＣＣＨに載せるかの２通りの手法が考えられる。
【００１９】
前者の場合、図３に示すように、端末＃１にはＣＣＥインデックス“２”のＰＤＣＣＨが割り当てられ、端末＃２にはＣＣＥインデックス“４，５”のＰＤＣＣＨが割り当てられるため、ＨＡＲＱ−ＡＣＫをフィードバックするＰＵＣＣＨ上のリソースは、スケジューリング情報を載せた最小ＣＣＥインデックスに紐づくように決定すれば、ＨＡＲＱ−ＡＣＫ用リソースの重複は発生しない。図３では、図２の場合と同様に、端末＃１は、最小ＣＣＥインデックス“２”から導かれるＰＵＣＣＨリソース“４”で上りＨＡＲＱ−ＡＣＫを送信し、端末＃２は、最小ＣＣＥインデックス“４”から導かれるＰＵＣＣＨリソース“６”で上りＨＡＲＱ−ＡＣＫを送信することができる。
【００２０】
一方、後者の場合は、図４に示すように、端末＃１と端末＃２に同じＣＣＥインデックス“２，３”のＰＤＣＣＨが割り当てられるため、従来のようにスケジューリング情報を載せた最小ＣＣＥインデックスに紐づくようにＰＵＣＣＨ上のリソースを決定すると、ＨＡＲＱ−ＡＣＫ用リソースの重複が発生してしまう。図４では、端末＃１と端末＃２は、共に最小ＣＣＥインデックス“２”から導かれるＰＵＣＣＨリソース“４”で上りＨＡＲＱ−ＡＣＫを送信することになり、基地局でＨＡＲＱ−ＡＣＫが正しく受信できなくなる。そこで、本発明では、非直交多重された下りデータに対する上りＨＡＲＱ−ＡＣＫの無線リソースの競合を回避する手法を提案する。
【００２１】
本発明にかかる基地局装置は、複数の端末に対するそれぞれの下り制御情報を同一の下り制御チャネル領域を用いて送信し、複数の端末に対するそれぞれの下りデータを非直交多重して送信し、送信された下りデータに対する上り制御情報が送信されるべき上り制御チャネル領域を決定するための情報を下り制御情報に含める。
【００２２】
このようにすることで、例えば、非直交多元接続を適用する際に、複数のユーザへのスケジューリング情報を１つスケジューリング情報に集約してＰＤＣＣＨに載せる場合でも、下りデータ送信に対するＨＡＲＱ−ＡＣＫフィードバックを無線リソースの競合無しに行うことが可能になる。
【００２３】
以下に、本発明にかかる無線通信システムの実施形態について、各実施例にしたがって詳しく説明する。また、各実施例において、既出の構成、動作については、同じ符号を用いることによってその説明を簡略化する。以下、本明細書において同様である。
【実施例１】
【００２４】
本発明の実施例１について、図５乃至図７を用いて説明する。実施例１では、非直交多元接続を適用する際に、複数の端末からフィードバックされる上りＨＡＲＱ−ＡＣＫの無線リソースの競合を回避するために、ＬＴＥシステムで規定される通常のＰＵＣＣＨとは別に、非直交多重される端末のＨＡＲＱ  ＡＣＫフィードバック用のＰＵＣＣＨ無線リソース（「非直交多元接続ＨＡＲＱ−ＡＣＫ用ＰＵＣＣＨリソース」と称する）を割り当てる。
【００２５】
（基地局装置の構成例）
図５は、図１の基地局１０として用いられる基地局装置の構成例を示す図である。基地局装置１０は、通信部１２と、制御部１４と、記憶部１６とを含み、互いにバスなどを通じて接続されている。なお、図５においては、無線通信を実施するために必要な他の構成を含むことは言うまでもない。
【００２６】
通信部１２は、記憶部１６に記憶された情報を制御部１４が使用しながら、自局の通信エリアに属する複数の端末２０と、所定のアクセス方式を用いて無線通信を実行する。本実施例では、通信部１２は、非直交多元接続方式を適用して下りデータの送信を行う。通信部１２は、制御情報送信部１２２と、データ送信部１２４と、制御情報受信部１２６と、データ受信部１２８とを含む。
【００２７】
制御情報送信部１２２は、端末に対して下り制御情報をＰＤＣＣＨで送信する。非直交多元接続が適用される場合には、制御情報送信部１２２は、非直交多元接続ＨＡＲＱ−ＡＣＫ用ＰＵＣＣＨリソースの集合を決定し、このリソースの集合に関する情報をブロードキャスト若しくはユニキャストで端末に事前に通知する。また、制御情報送信部１２２は、非直交多元接続適用時には、非直交多元接続される複数の端末に対する下り制御情報を集約して同一のＰＤＣＣＨに載せて送信する。下り制御情報には、複数の端末に対する下りデータが非直交多重されるＰＤＳＣＨの割り当て情報（ＤＬ  ａｓｓｉｇｎｍｅｎｔ）や非直交多重送信された下りデータの復調の順番が含まれる。データ送信部１２４は、ＰＤＳＣＨの割り当て情報にしたがって、複数の端末に対するそれぞれの下りデータを非直交多重して送信する。例えば、図１に示すように、データ送信部１２４は、端末＃１および端末＃２の信号をＰＤＳＣＨ上の同一の無線リソース上に多重し、同時に送信する。制御情報受信部１２６は、端末からＰＵＣＣＨに載せて送られてくる、下りデータに対するＨＡＲＱ−ＡＣＫ、チャネル品質情報、または、上りデータ伝送のためのスケジューリング要求などを含む上り制御情報を受信する。データ受信部１２８は、端末からＰＵＳＣＨに載せて送られてくる上りデータを受信する。
【００２８】
制御部１４は、データ送信部１２４によって送信された下りデータに対するＨＡＲＱ−ＡＣＫが送信されるべき上り制御チャネル領域を決定するための情報を制御情報送信部１２２で送信する下り制御情報に含める。このＨＡＲＱ−ＡＣＫが送信されるべき上り制御チャネル領域を決定するための情報は、例えば、非直交多重送信された下りデータの復調の順番としてもよいし、明示的にリソースの位置を示す情報としてもよい。復号の順番は、端末間で共通であり、図１の例では、１番目が端末＃２、２番目が端末＃１となる。これらの情報は、記憶部１６に記憶される。
【００２９】
（端末装置の構成例）
図６は、図１の端末２０として用いられる端末装置の構成例を示す図である。端末装置２０は、通信部２２と、制御部２４と、記憶部２６を含む。なお、図３においては、無線通信を実施するために必要な他の構成を含むことは言うまでもない。
【００３０】
通信部２２は、記憶部２６に記憶された情報を制御部２４が使用しながら、所定のアクセス方式を用いて基地局１０との間で無線により通信を行う。これらの通信処理は、公知の変復調技術、アンテナ技術が用いられてもよい。通信部２２は、制御情報送信部２２２と、データ送信部２２４と、制御情報受信部２２６と、データ受信部２２８とを含む。
【００３１】
制御情報送信部２２２は、基地局１０に対し、上り制御情報をＰＵＣＣＨで送信する。下りデータを受信した際には、制御情報送信部２２２は、下りデータに対する受信応答としてＨＡＲＱ−ＡＣＫを送信する。データ送信部２２４は、基地局１０に対して上りデータをＰＵＳＣＨに載せて送信する。制御情報受信部２２６は、基地局１０からＰＤＣＣＨで送られてくる下り制御情報を受信する。制御情報受信部２２６は、基地局１０からブロードキャスト若しくはユニキャストで通知される非直交多元接続ＨＡＲＱ−ＡＣＫ用ＰＵＣＣＨリソースの集合を記憶部２６に記憶する。また、非直交多元接続が適用される際には、制御情報受信部２２６は、同一のＰＤＣＣＨを用いて送信された下り制御情報を受信する。下り制御情報には、複数の端末に対する下りデータが非直交多重されるＰＤＳＣＨの割り当て情報（ＤＬ  ａｓｓｉｇｎｍｅｎｔ）や非直交多重送信された下りデータの復調の順番を含むことができる。データ受信部２２８は、下り制御情報に基づいて非直交多重された下りデータを受信し、復調の順番に応じて他の端末の信号を干渉信号として除去する干渉キャンセラ処理を行い、当該端末宛ての信号を得る処理を行う。
【００３２】
制御部２４は、例えば、ＣＰＵにより構成され、通信部２２から受信された情報、または記憶部２６に記憶された情報を用いて、各部を統括的に制御する。制御部２４は、データ受信部２２８によって受信された下りデータに対するＨＡＲＱ−ＡＣＫが送信されるべき上り制御チャネル領域を決定するための情報を下り制御情報から取得し、記憶部２６に記憶する。この情報は、例えば、非直交多重送信された下りデータの復調の順番であってもよいし、明示的にリソースの位置を示す情報であってもよい。
【００３３】
さらに、制御部２４は、上りリソース決定部２４２を含む。上りリソース決定部２４２は、上記下り制御情報から取得された情報と、制御情報受信部２２６によって受信した下り制御情報が割り当てられた下り制御チャネル領域に関する情報（例えば、ＰＤＣＣＨのＣＣＥインデックス）とを少なくとも用いて、ＨＡＲＱ−ＡＣＫを送信する上り制御チャネル領域を決定する。
【００３４】
（動作）
次に、このように構成された実施例１にかかる無線通信システムの動作について説明する。図７は、実施例１にかかる上りＨＡＲＱ−ＡＣＫリソースの決定方法を示す図である。
【００３５】
本実施例では、非直交多元接続を適用していない時のＨＡＲＱ−ＡＣＫ用ＰＵＣＣＨリソースのリソース量をｎ（ＰＵＣＣＨのＣＣＥインデックスの総数）とする。また、非直交多元接続で同一リソースブロック上に多重されるユーザ数の最大数をｍとし、ｎ（ｍ−１）個のＰＵＣＣＨリソースインデックスを非直交多元接続ＨＡＲＱ−ＡＣＫ用ＰＵＣＣＨリソースとして用意する。この非直交多元接続ＨＡＲＱ−ＡＣＫ用ＰＵＣＣＨリソースは、非直交多元接続で下りリンクのスケジューリングが指示された（スケジューリング情報が送信された）端末が、ＨＡＲＱ−ＡＣＫをフィードバックするために使用する。この非直交多元接続ＨＡＲＱ−ＡＣＫ用ＰＵＣＣＨリソースに関する情報は、基地局が事前に決定し、上位レイヤのシグナリングで端末にブロードキャスト若しくはユニキャストで通知してもよい。
【００３６】
実際にＨＡＲＱ−ＡＣＫをフィードバックするＰＵＣＣＨリソースの決め方は、スケジューリング情報が送信されたＰＤＣＣＨ上の最小ＣＣＥ  ｉｎｄｅｘと、別途通知される自端末の復調の順番と、をキーにして式（１）によって求めてもよい。
【００３７】
【数１】
2016189506.tif 000003
【００３８】
復調の順番は、ＮＯＭＡにおける各端末が、自己宛の信号を取得するために必要な情報でもある。ＮＯＭＡにおいて、各端末は、ＮＯＭＡにより送信された信号のうち、最も多くの電力が配分されたデータを復調し、そのデータを除去した上で、次に多くの電力が配分されたデータを復調し、これを繰り返す。ここで、各端末は、復調順番により、このループを終了させるトリガーを得る。すなわち、復調順序が１番目の場合は、最も多くの電力が配分されたデータを復調した時点で終了し、復調したデータを自己宛のデータとして取得する。復調順序が２番目の場合は、最も多くの電力が配分されたデータを復調し、そのデータを除去した上で、次に多くの電力が配分されたデータを復調し、このデータを自己宛のデータとして取得すればよいこととなる。なお、この復調順序は、ＮＯＭＡ状態に端末間における基地局との間の相対的な距離順位を示している。言い換えると、上記のような復調順番ではなく、距離順位に関する情報を取得しても同様の効果を得ることができることとなる。
【００３９】
例えば、図１に示すように、基地局１０に対し、端末＃１および端末＃２が非直交多元接続され、端末＃１は基地局１０の近傍に存在し、端末＃２は基地局１０のセルエッジに存在すると仮定する。この場合の復調の番号は、端末＃１に２番目が通知され、端末＃２に１番目が通知される（１番目には通知されない場合もある）ものとする。図７によれば、端末＃１，＃２は、ＤＬ  Ａｓｓｉｇｎｍｅｎｔ内に当該端末宛てデータの復調の番号が有る場合には、復調の番号とＤＬ  Ａｓｓｉｇｎｍｅｎｔが載ったＣＣＥインデックスの組合せでＰＵＣＣＨリソースを決定し、ＨＡＲＱ−ＡＣＫを送信する。一方、ＤＬ  Ａｓｓｉｇｎｍｅｎｔ内に復調の番号などの付加的情報が無い場合は、端末は、従来どおりＤＬ  Ａｓｓｉｇｎｍｅｎｔが載ったＣＣＥインデックスに紐づくＰＵＣＣＨリソースを使用してＨＡＲＱ−ＡＣＫを送信する。
【００４０】
以上述べたように、実施例１によれば、非直交多元接続の際に複数の端末宛てのスケジューリング情報を１つに集約してＰＤＣＣＨで送信した場合でも、下りデータに対する上りＨＡＲＱ−ＡＣＫの無線リソースの競合を回避することが可能になる。さらに、最小ＣＣＥ  ｉｎｄｅｘと非直交多重された下りデータの復調の順番とに基づいて上りＨＡＲＱ−ＡＣＫの無線リソースを決定することで、少ない情報量でＨＡＲＱ−ＡＣＫで使うＰＵＣＣＨリソースを一意に決定できるという効果が得られる。
【実施例２】
【００４１】
本発明の実施例２は、実施例１の変形例である。上記実施例１では、非直交多元接続ＨＡＲＱ−ＡＣＫ用ＰＵＣＣＨリソースとして、端末間で共通にｎ（ｍ−１）個のＰＵＣＣＨリソースインデックスを割り当てたが、実施例２では、個々の端末それぞれに異なる非直交多元接続ＨＡＲＱ−ＡＣＫ用ＰＵＣＣＨリソースを割り当てる。なお、実施例１と構成は同様であるため説明を省略し、ここでは、実施例１と異なる動作について説明を行う。
【００４２】
図８は、実施例２にかかる上りＨＡＲＱ−ＡＣＫリソースの決定方法を示す図である。本実施例では、非直交多元接続を適用していない時のＨＡＲＱ−ＡＣＫ用ＰＵＣＣＨリソースのリソース量をｎ（ＰＵＣＣＨのＣＣＥインデックスの総数）とする。また、例えば、非直交多元接続ＨＡＲＱ−ＡＣＫ用ＰＵＣＣＨリソースとして、ｎ個のＰＵＣＣＨリソースインデックスを用意する。非直交多元接続で下りリンクのスケジューリングが指示された（スケジューリング情報が送信された）端末が、ＨＡＲＱ−ＡＣＫをフィードバックするために使用する非直交多元接続ＨＡＲＱ−ＡＣＫ用ＰＵＣＣＨリソースは、上位レイヤのシグナリングと、物理レイヤのＤＬ  Ａｓｓｉｇｎｍｅｎｔ内の情報とによって決定する。
【００４３】
上位レイヤのシグナリングでは、基地局は、非直交多元接続ＨＡＲＱ−ＡＣＫ用ＰＵＣＣＨリソースを端末毎に決定し、端末に通知する。この時の非直交多元接続ＨＡＲＱ−ＡＣＫ用ＰＵＣＣＨリソースは、端末ごとに事前に決まった１以上の個数分だけ通知する。また、その際同一の非直交多元接続ＨＡＲＱ−ＡＣＫ用ＰＵＣＣＨリソースを異なる端末に割り当てても良い。図８の例では、各端末に対して非直交多元接続ＨＡＲＱ−ＡＣＫ用ＰＵＣＣＨリソースを４つずつ割り当てている。
【００４４】
端末は、上位レイヤのシグナリングで通知された複数の非直交多元接続ＨＡＲＱ−ＡＣＫ用ＰＵＣＣＨリソースの情報を記憶部２６に常に保持し、また新しい上位レイヤのシグナリングで新しい情報が通知された際には、新しい情報に更新する。
【００４５】
次に、基地局は、ＤＬ  Ａｓｓｉｇｎｍｅｎｔによって非直交多元接続の割り当てを複数の端末に対して行う場合、上位レイヤで事前にシグナリングした非直交多元接続ＨＡＲＱ−ＡＣＫ用ＰＵＣＣＨリソースのうち、各端末が今回のＨＡＲＱ−ＡＣＫ送信で使用するＰＵＣＣＨリソースを指示する情報をＤＬ  Ａｓｓｉｇｎｍｅｎｔ内に含める。この情報は、ＵＥ毎に「各ＵＥの非直交多元接続ＨＡＲＱ−ＡＣＫ用ＰＵＣＣＨリソースの何番目」という直接の情報であっても良い。また、ＳＩＣ処理を端末側で行う非直交多元接続の場合は、各端末に復調の順番を通知する必要があるので、この復調の順番から1を減算した値が「各端末の非直交多元接続ＨＡＲＱ−ＡＣＫ用ＰＵＣＣＨリソースの何番目」とする。この際、復調の順番から1を減算した値が0の場合は、「従来のＣＣＥ  ｉｎｄｅｘに紐づくＰＵＣＣＨリソースを使用する」という情報としても良い。また、それらの情報が無いＤＬ  Ａｓｓｉｇｎｍｅｎｔを受信したときは、従来のＣＣＥ  ｉｎｄｅｘに紐づくＰＵＣＣＨリソースを使用するとしてもよい。それにより、後方互換性（ｂａｃｋｗａｒｄ  ｃｏｍｐａｔｉｂｉｌｉｔｙ）も維持することが可能である。
【００４６】
端末がＤＬ  Ａｓｓｉｇｎｍｅｎｔを受信した場合、上位レイヤのシグナリングで通知された複数の非直交多元接続ＨＡＲＱ−ＡＣＫ用ＰＵＣＣＨリソースの中から、ＤＬ  Ａｓｓｉｇｎｍｅｎｔ内の情報を用いてＰＵＣＣＨリソースを選択し、同ＰＵＣＣＨリソースを使ってＨＡＲＱ−ＡＣＫを送信する。
【００４７】
例えば、図１に示すように、基地局１０に対し、端末＃１および端末＃２が非直交多元接続され、端末＃１は基地局１０の近傍に存在し、端末＃２は基地局１０のセルエッジに存在すると仮定する。この場合の復調の番号は、端末＃１に２番目が通知され、端末＃２に１番目が通知される（１番目には通知されない場合もある）ものとする。図８によれば、復調の番号が２番目の端末＃１は、当該端末用に割り当てられた非直交多元接続ＨＡＲＱ−ＡＣＫ用ＰＵＣＣＨリソース内のこの復調の番号（２番目）に対応するＰＵＣＣＨでＨＡＲＱ−ＡＣＫを送信する。復調の番号が１番目の端末＃２は、従来どおりＤＬ  Ａｓｓｉｇｎｍｅｎｔが載ったＣＣＥインデックスに紐づくＰＵＣＣＨリソースを使用してＨＡＲＱ−ＡＣＫを送信する。また、ＤＬ  Ａｓｓｉｇｎｍｅｎｔ内に復調の番号などの付加的情報が無い場合は、端末は、従来どおりＤＬ  Ａｓｓｉｇｎｍｅｎｔが載ったＣＣＥインデックスに紐づくＰＵＣＣＨリソースを使用してＨＡＲＱ−ＡＣＫを送信する。
【００４８】
以上述べたように、実施例２によれば、実施例１と同様に、非直交多元接続の際に複数の端末宛てのスケジューリング情報を１つに集約してＰＤＣＣＨで送信した場合でも、下りデータに対する上りＨＡＲＱ−ＡＣＫの無線リソースの競合を回避することが可能になり、非直交多元接続がサポートされていない場合の後方互換性（ｂａｃｋｗａｒｄ  ｃｏｍｐａｔｉｂｉｌｉｔｙ）も確保できる。また、実施例１に比べて、非直交多重されるユーザ数が増加しても、非直交多元接続ＨＡＲＱ−ＡＣＫ用ＰＵＣＣＨリソースとして必要なリソース量が少なくても済むという効果がある。
【００４９】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、各実施例を組み合わせるなどして、それらの各構成要素や各処理プロセスの組み合わせにいろいろな変形例が可能なこと、またそうした変形例も本発明の範囲にあることは当業者に理解されるところである。
【符号の説明】
【００５０】
１０…基地局装置（ＢＳ）、２０…端末装置（ＵＥ）、１２…通信部、１２２…制御情報送信部、１２４…データ送信部、１２６…制御情報受信部、１２８…データ受信部、１４…制御部、１６…記憶部、２２…通信部、２２２…制御情報送信部、２２４…データ送信部、２２６…制御情報受信部、２２８…データ受信部、２４…制御部、２４２…リソース決定部、２６…記憶部。
【図１】
2016189506.tif 000004
【図２】
2016189506.tif 000005
【図３】
2016189506.tif 000006
【図４】
2016189506.tif 000007
【図５】
2016189506.tif 000008
【図６】
2016189506.tif 000009
【図７】
2016189506.tif 000010
【図８】
2016189506.tif 000011